(57)【特許請求の範囲】
【請求項１】
居住用建物の壁に形成された開口に設置されるドアセットであって、
戸枠と、該戸枠に連結手段によって連結されたドアと、を備えており、
前記戸枠は、
前記ドアを取り付けた状態における、戸先側に位置する戸先側縦枠と、戸尻側に位置する戸尻側縦枠と、前記戸先側縦枠と前記戸尻側縦枠の上端部同士を連結する上枠と、前記戸先側縦枠と前記戸尻側縦枠の下端部同士を連結する下枠と、を備えており、
前記ドアは、
正面壁と、背面壁と、を備えており、
該ドアの戸先端縁には、基端が前記正面壁に連結した板状の戸先カバー部が設けられており、
該ドアの戸尻端縁には、基端が前記正面壁に連結した板状の戸尻カバー部が設けられており、
前記戸尻側縦枠は、
前記ドアを閉じた状態において、前記ドアの面内方向に対して直交する方向において前記ドアの背面壁内方に位置する戸当たり見付壁を備えており、
前記戸尻カバー部は、
前記ドアを閉じた状態おける前記ドアの正面視において、前記戸尻側縦枠の戸当たり見付壁を視認し得ない位置まで先端が延設して形成されており、
前記連結手段は、
前記戸尻側縦枠の戸当たり見付壁と、前記戸尻端縁と、前記戸尻カバー部の戸尻正面カバー壁背面と、で囲まれた空間内に収容された状態で配設されている
ことを特徴とするドアセット。
【請求項２】
前記戸先カバー部と、前記戸尻カバー部は、
その正面が、前記ドアの正面壁の正面と略面一となるように設けられている
ことを特徴とする請求項１記載のドアセット。
【請求項３】
前記ドアは、
前記戸枠における上枠の戸当り見付壁の表面を覆うように該ドアの上端部に設けられた上カバー部を備えている
ことを特徴とする請求項１または２記載のドアセット。
【請求項４】
前記連結手段は、
前記戸尻側縦枠に対する前記ドアの揺動軸が、前記戸尻カバー部の外端縁の近傍かつ内方に位置するように配設されている
ことを特徴とする請求項１、２または３記載のドアセット。
【請求項５】
前記連結手段は、
前記ドアの戸尻に固定された可動プレートと、前記戸尻側縦枠に固定された固定プレートと、該固定プレートおよび前記可動プレートが揺動可能に連結された軸部材と、を備えており、
前記戸尻側縦枠の戸当り見付壁には、
軸方向に沿って、前記固定プレートの先端部を挿入し得るようにスリットが形成されており、
前記固定プレートは、
該先端部を前記スリットに挿入した状態で前記戸尻側縦枠に固定されている
ことを特徴とする請求項１、２、３または４記載のドアセット。
【請求項６】
前記戸尻カバー部は、
その外端縁から前記戸尻側縦枠に向かって屈曲した側壁が設けられている
ことを特徴とする請求項１、２、３、４または５記載のドアセット。
【請求項７】
前記戸尻側縦枠には、
その戸当り見付壁から前記戸尻カバー部に向かって立設した突出部が設けられており、
該突出部は、
その先端が前記戸尻カバー部の側壁の内端近傍に位置するように形成されている
ことを特徴とする請求項６記載のドアセット。
【請求項８】
居住用建物の壁に設置されるパネルセットであって
該壁に設置される請求項１〜７のいずれかに記載のドアセットと、該ドアセットの周囲の壁に設けられるパネルと、を備えており、
該パネルは、
その表面が前記ドアセットのドアの正面壁の表面と略面一となるように配設されるものである
ことを特徴とするドアパネルセット。
【請求項９】
前記パネルのうち前記ドアセットの戸尻カバー部に隣接するパネルと該戸尻カバー部の間の隙間が、６〜１０ｍｍである
ことを特徴とする請求項８記載のドアパネルセット。
【発明の詳細な説明】
【技術分野】
【０００１】
本発明は、ドアセットおよびドアパネルセットに関する。
【背景技術】
【０００２】
戸建住宅やマンションなどの居住用建物の玄関ドアは、居住用建物の玄関側壁にドアを取り付けるための戸枠と、この戸枠にヒンジを介して開閉自在となるように取り付けられたドアとを備えている。この戸枠は、一対の縦枠と、一対の縦枠の両端間を連結する一対の上下枠とからなり、その各枠の内面によって囲まれた空間にドアが取り付けられる。通常、戸枠の各枠は、断面視略矩形な構造を有しており、正面からドアを見たときに、その幅（見付寸法）が約１５ｍｍ〜３０ｍｍ程度となるように形成されている。このため、ドアを閉じた状態では、正面視において、ドアが、ある程度の幅を有する戸枠によって囲まれたような構造となっている。このため、玄関側壁とドアが戸枠によって分離された状態となっており、玄関ドアと玄関側壁が一体感を有するデザインとすることは難しかった。
【０００３】
また、鋼製の玄関ドアは、化粧鋼板を使って製作されるのが一般的である。一方、かかる玄関ドアを玄関側壁に取り付けるための戸枠においては、現場で塗装仕上げが行われる。このため、通常、戸枠の塗装仕上げは、玄関ドアの化粧鋼板の色に近い近似色を調合したのち、かかる塗料を用いて塗装が行われる。すると、戸枠は、ドアの近似色の塗装仕上げとなるため、余計にドアと戸枠の一体感が損なわれるという問題が生じていた。
【０００４】
一方、近年の居住用建物の購入希望者の要望の一つとして、外観がすっきりとした印象の居住用建物が挙げられており、とくに居住用建物の顔となる玄関においては、その傾向が強くなってきている。このため、一般的な玄関ドアでは、近年の居住用建物の購入希望者の要望を満足することができなくなってきている。
【０００５】
そこで、居住用建物の玄関の外観を、すっきりとした印象とすることができる構造を有する玄関ドアが提案されている（例えば、特許文献１および２）。
【０００６】
特許文献１および２には、戸枠の縦枠の正面壁をつぶして、その幅を狭くした玄関ドアが開示されている。具体的には、通常の戸枠の縦枠を幅方向で折り曲げてツブシ戸枠を形成し、このツブシ戸枠の内側にヒンジを介してドアを取付けて、玄関ドアを形成している。このため、特許文献１および２の戸枠を用いれば、玄関ドアを正面から見たときに、戸枠が占める領域を小さくできるので、戸枠が外観に与える影響を小さくすることができる。つまり、ツブシ戸枠を用いることによって、ドアの周囲を囲む戸枠部分を狭くすることができるので、室外正面視において、玄関の外観をすっきりとした印象にすることができる旨が記載されている。
【先行技術文献】
【特許文献】
【０００７】
【特許文献１】実登録第３１４４２８９号公報
【特許文献２】特開２０１１−１６８９５８号公報
【発明の概要】
【発明が解決しようとする課題】
【０００８】
しかるに、特許文献１および２の玄関ドアでは、玄関の外観における戸枠の影響をある程度小さくすることができるものの、ドアの周囲を囲む戸枠は視認できる状況で残される。このため、特許文献１および２の玄関ドアを居住用建物の玄関に用いた場合でも、室外正面視において、玄関側壁とドアが分離されたような印象を払拭することはできない。
しかも、特許文献１および２の玄関ドアでは、戸枠にドアを連結しているヒンジ等の連結手段の一部（例えば、軸部分）が室外側に突出した構造となっているので、戸枠の外観をそれほどすっきりとした印象にすることができない。
【０００９】
現状では、ドアを閉じた状態における玄関ドアの室外正面視において、戸枠が視認されないような玄関ドアは存在しておらず、居住用建物の玄関に配設した状態において、玄関ドアと玄関側壁が一体感を有するデザインとすることができる玄関ドアの開発が望まれている。
【００１０】
本発明は上記事情に鑑み、ドアを閉じた状態で、ドアを正面からみたときに、ドアとドアを設置した居住用建物の壁が一体感を有するドアセットおよびかかるドアセットを備えたドアパネルセットを提供することを目的とする。
【課題を解決するための手段】
【００１１】
第１発明のドアセットは、  居住用建物の壁に形成された開口に設置されるドアセットであって、戸枠と、該戸枠に連結手段によって連結されたドアと、を備えており、前記戸枠は、前記ドアを取り付けた状態における、戸先側に位置する戸先側縦枠と、戸尻側に位置する戸尻側縦枠と、前記戸先側縦枠と前記戸尻側縦枠の上端部同士を連結する上枠と、前記戸先側縦枠と前記戸尻側縦枠の下端部同士を連結する下枠と、を備えており、前記ドアは、正面壁と、背面壁と、を備えており、該ドアの戸先端縁には、基端が前記正面壁に連結した板状の戸先カバー部が設けられており、該ドアの戸尻端縁には、基端が前記正面壁に連結した板状の戸尻カバー部が設けられており、前記戸尻側縦枠は、前記ドアを閉じた状態において、前記ドアの面内方向に対して直交する方向において前記ドアの背面壁内方に位置する戸当たり見付壁を備えており、前記戸尻カバー部は、前記ドアを閉じた状態おける前記ドアの正面視において、前記戸尻側縦枠の戸当たり見付壁を視認し得ない位置まで先端が延設して形成されており、前記連結手段は、前記戸尻側縦枠の戸当たり見付壁と、前記戸尻端縁と、前記戸尻カバー部の戸尻正面カバー壁背面と、で囲まれた空間内に収容された状態で配設されていることを特徴とする。
第２発明のドアセットは、第１発明において、前記戸先カバー部と、前記戸尻カバー部は、その正面が、前記ドアの正面壁の正面と略面一となるように設けられていることを特徴とする。
第３発明のドアセットは、第１または第２発明において、前記ドアは、前記戸枠における上枠の戸当り見付壁の表面を覆うように該ドアの上端部に設けられた上カバー部を備えていることを特徴とする。
第４発明のドアセットは、第１、第２または第３発明において、前記連結手段は、前記戸尻側縦枠に対する前記ドアの揺動軸が、前記戸尻カバー部の外端縁の近傍かつ内方に位置するように配設されていることを特徴とする。
第５発明のドアセットは、第１、第２、第３または第４発明において、前記連結手段は、前記ドアの戸尻に固定された可動プレートと、前記戸尻側縦枠に固定された固定プレートと、該固定プレートおよび前記可動プレートが揺動可能に連結された軸部材と、を備えており、前記戸尻側縦枠の戸当り見付壁には、軸方向に沿って、前記固定プレートの先端部を挿入し得るようにスリットが形成されており、前記固定プレートは、該先端部を前記スリットに挿入した状態で前記戸尻側縦枠に固定されていることを特徴とする。
第６発明のドアセットは、第１、第２、第３、第４または第５発明において、前記戸尻カバー部は、その外端縁から前記戸尻側縦枠に向かって屈曲した側壁が設けられていることを特徴とする。
第７発明のドアセットは、第６発明において、前記戸尻側縦枠には、その戸当り見付壁から前記戸尻カバー部に向かって立設した突出部が設けられており、該突出部は、その先端が前記戸尻カバー部の側壁の内端近傍に位置するように形成されていることを特徴とする。
（ドアパネルセット）
第８発明のドアパネルセットは、居住用建物の壁に設置されるパネルセットであって該壁に設置される請求項１〜７のいずれかに記載のドアセットと、該ドアセットの周囲の壁に設けられるパネルと、を備えており、該パネルは、その表面が前記ドアセットのドアの正面壁の表面と略面一となるように配設されるものであることを特徴とする。
第９発明のドアパネルセットは、第８発明において、前記パネルのうち前記ドアセットの戸尻カバー部に隣接するパネルと該戸尻カバー部の間の隙間が、６〜１５ｍｍであることを特徴とする。
【発明の効果】
【００１２】
（ドアセット）
第１発明によれば、ドアを閉じれば、ドアの戸先カバー部と戸尻カバー部によって縦枠の表面（戸当り見付壁の表面）が覆われた状態とすることができる。つまり、ドアを閉じた状態でドアを正面から見たときに、ドアが戸枠で囲まれた状態とはならないのである。しかも、連結手段を戸尻カバー部と戸尻側縦枠との間に配設することによって、ドアを正面から見たときに、連結手段を視認できない状態とすることができる。このため、例えば、かかるドアセットを居住用建物の玄関ドアとして配設した場合、玄関の外観における戸枠の影響をなくすことができるので、外部から玄関ドアを見たときに、玄関側壁とドアが一体となった印象となる。しかも、連結手段をも外部から視認できない状況とすることができる。したがって、かかるドアセットを居住用建物に配設すれば、ドアと壁が一体感を有するデザインとすることが可能となる。
第２発明によれば、戸先カバー部と戸尻カバー部の正面がドアの正面壁と略面一となるように設けられているので、ドアを正面から見たときに、ドアの表面全体を一体化することができる。
第３発明によれば、ドアを閉じれば、ドアの上カバー部によって戸枠の上枠の表面（戸当り見付壁の表面）が覆われた状態とすることができる。つまり、ドアを閉じた状態でドアを正面から見たときに、戸枠が全く視認されない状態とすることができる。
第４発明によれば、揺動軸から戸尻カバー部の外端縁までの距離を短くすることができるので、ドアを回転する際の戸尻カバー部の回転半径を小さくすることができる。すると、ドアを揺動したときに、戸尻カバー部の外端縁が戸尻側縦枠の外壁（開口と反対側に位置する壁）よりも突出する量を小さくできる。したがって、例えば、かかるドアセットを居住用建物の玄関ドアとして配設した場合、ドアを揺動させる際に戸尻側と玄関側壁が干渉しないように両者間に設けられる隙間を小さくできる。このため、玄関の外観をすっきりとした印象にすることができるので、ドアと玄関側壁がより一体感を有するデザインとすることが可能となる。
第５発明によれば、固定プレートが戸尻側縦枠の戸当り見付壁に形成したスリットに挿入した状態で戸尻側縦枠に固定されるので、戸尻側縦枠の戸当り見付壁の表面の見栄えをよくすることができる。
第６発明によれば、戸尻カバー部の外端縁から前記戸尻側縦枠に向かって側壁が設けられているので、この側壁によって戸尻カバー部の内方を外部から視認できないようにすることができる。つまり、斜めからドアの戸尻側を見ても、戸尻カバー部の内方に設けられた連結手段等の内部構造が視認できない状態とすることができる。このため、ドアを正面から見たときの外観をよりすっきりとした印象とすることができる。
第７発明によれば、ドアの戸尻側を戸尻側縦枠の戸当り見付壁に設けられた突出部と戸尻カバー部の側壁によって覆うことができるので、戸尻側に設けられた連結手段等の内部構造を外部からほぼ視認できない状態とすることができる。しかも、突出部と戸尻カバー部の側壁との間は、隙間が形成されているので、ドアと回転に伴って生じる戸尻カバー部の移動を、突出部の戸尻側縦枠側内方に逃がすことができる構造とすることができる。
（ドアパネルセット）
第８発明によれば、ドアを閉じた状態で室外側からドアをみたときに、戸枠が見えないので、壁に設けられたパネルとドアが一体的に見えるようにすることができる。つまり、玄関側壁に配設した場合、戸枠の影響がなくなるので、室外側正面視において、玄関側壁とドアが一体となった印象となる。すると、ドアの表面デザインとパネルのデザインを同じものとすれば、デザインの統一性を図ることができ、ドアと居住用建物の壁（例えば、玄関側壁）が一体感を有するデザインとすることができる。
第９発明によれば、ドアセットの戸尻カバー部に隣接するパネルとドアセットの戸尻カバー部との間に形成される隙間をわずか６〜１５ｍｍと非常に狭くしても、ドアを開ける際に戸尻カバー部の外端縁がパネルに接触するのを防止することができる。したがって、居住用建物の壁とドアとの一体性をより向上させることができる。
【図面の簡単な説明】
【００１３】
【図１】本実施形態のドアセット１０を備えたドアパネルセット１を玄関に配設した状態において、玄関の室外側から見たときの概略説明図である。
【図２】本実施形態のドアセット１０を備えたドアパネルセット１を玄関に配設した概略説明図であり、（Ａ）は玄関の室外側から見た状態の概略図であり、（Ｂ）は玄関の室内側から見た状態の概略図である。
【図３】図２（Ａ）の概略拡大図である。
【図４】図３のＩＶ−ＩＶ線概略断面図である。
【図５】図３のＶ−Ｖ線概略断面図である。
【図６】図３のドア１１の戸先側と戸先側縦枠６０の部分拡大概略断面図である。
【図７】図３のドア１１の戸尻側と戸尻側縦枠７０の部分拡大概略断面図である。
【図８】（Ａ）は図３のドア１１の戸尻側と戸尻側縦枠７０の部分拡大概略断面図であり、（Ｂ）は（Ａ）のＢ−Ｂ線概略断面図である。
【図９】本実施形態のドアセット１０を備えたドアパネルセット１のドア１１を開いたときの戸尻側概略断面図であり、（Ａ）は図９のドア１１を開いたときの戸尻側の部分拡大概略断面図であり、（Ｂ）は（Ａ）のＢ−Ｂ線概略断面図である。
【発明を実施するための形態】
【００１４】
つぎに、本発明の実施形態を図面に基づき説明する。
本発明のドアパネルセットは、居住用建物の壁にドアセットを設置するための開口を囲むように設置されたパネルと、この開口にドアセットを設置して使用されるものであり、両者を設置した状態において、ドアとパネルが一体感を有するようにしたことに特徴を有している。
【００１５】
本発明のドアパネルセットが設置される居住用建物の壁はとくに限定されない。例えば、玄関や勝手口などの屋外の外壁はもちろん、ロビーや、エレベータホールなどの屋内の内壁において、デザイン性を高く維持しておくことが望まれる居住用建物の壁を本発明のドアパネルセットを設置する壁として挙げることができる。なお、本明細書の居住用建物とは、マンション等の集合住宅や、戸建住宅のほか、ホテルや、ビルなどを含む建物を意味する。
【００１６】
以下では、マンションの住戸の玄関側壁に使用した場合を代表として説明する。
【００１７】
まず、本実施形態のドアパネルセット１の概略を簡単に説明する。
【００１８】
図１において、符号ＥＷは住戸の玄関側壁に形成された屋内と屋外とを連通する開口（つまり出入口）を有する玄関側壁を示しており、符号Ｆは共用廊下を示している。なお、図１において、紙面手前側が玄関の屋外、その反対側が玄関の屋内に相当する。
【００１９】
図１および図２に示すように、ドアパネルセット１は、玄関側壁ＥＷの開口を囲むように設置されたパネル２と、このパネル２に囲まれた開口に設置されるドアセット１０と、を備えている。
【００２０】
（パネル２の説明）
パネル２は、板状の部材であり、玄関側壁ＥＷに設置することができる構造を有する部材であれば、その大きさや形状はとくに、限定されない。例えば、図１に示すように、正面視長方形のものほか、正面視略方形のものなど、設置する壁の大きさ等に応じて適宜変更したものを採用することができる。
図４または図５に示すように、このパネル２は、複数のパネル２を用いて玄関側壁ＥＷに形成された開口を囲むように設置することができるものである。
なお、後述するドアセット１０のドア１１の戸先側または戸尻側には、エントランスパネル２を設けてもよい。このエントランスパネル２は、パネル２の表面に新聞受け部材やインターホン等が設けられた構造を有するパネルである。
【００２１】
（ドアセット１０の説明）
図１に示すように、上記のごとき複数のパネル２によって囲まれた玄関側壁ＥＷの開口には、ドアセット１０が設置されている。
図２に示すように、このドアセット１０は、玄関側壁ＥＷに形成されている開口に取付けられるものであり、ドア１１と、このドア１１が取り付けられる戸枠３０と、を備えている。
なお、ドア１１は、戸枠３０に取り付けた状態において、屋外側、つまり玄関の屋外側に開放することができるように取り付けられた場合を代表として説明する。
【００２２】
（戸枠３０について）
図２に示すように、戸枠３０は、一対の縦枠６０、７０と、この縦枠６０、７０の下端間および上端間をそれぞれ繋ぐように設けられた上枠４０と下枠５０とから構成されている。そして、戸枠３０は、一対の縦枠６０、７０と上枠４０、下枠５０に囲まれた、正面視略長方形の開口30h（図４参照）を有している。
なお、以下、一対の縦枠６０、７０のうち、ドア１１を取り付けた状態におけるドア１１の戸先側の縦枠６０を戸先側縦枠６０、戸尻側の縦枠７０を戸尻側縦枠７０という。
【００２３】
図４および図５に示すように、戸枠３０の各枠は、上記開口30hを形成するための開口形成部４２、５２、６２、７２と、玄関側壁ＥＷに形成されている開口に取り付けるための取付壁４１、５１、６１、７１と、を備えている。つまり、戸枠３０は、玄関側壁ＥＷの開口の内壁を各取付壁で覆うようにして設置されているのである。
なお、本明細書において、開口とは、戸枠３０の前後を完全に連通している空間を意味しており、開口30hには戸枠３０に形成されている戸当りの部分は含まれていない。
【００２４】
（ドア１１について）
図２および図４または図５に示すように、このドア１１は、板状の部材であり、戸枠３０の開口30hと略相似形であって、ドア１１を閉じた状態において、戸枠３０の開口30hを塞ぐことができる大きさに形成されている。そして、図１または、図２、図３に示すように、ドア１１は、ドア１１を閉じた状態において、室外側（つまりドア１１を解放する側）から見たときに、その室外側正面視において、その外縁部（後述するカバー部）によって戸枠３０の表面（後述する各枠の戸当り見付壁）を覆うように形成されている。
【００２５】
なお、ドア１１は、一対の表面板（正面壁と背面壁）を有しており、この正面壁と背面壁の間に断熱材や遮音材等の内部部材を挟んで形成されている。本明細書では、一対の表面板のうち、ドア１１を戸尻を支点として開くときにドア１１が解放される側の表面板を正面壁（図２（Ａ）では手前側の表面板）といい、その面を単にドア１１の正面といい、その逆の表面板を単に背面壁（図２（Ｂ）では手前側の表面板）といい、その面を単にドア１１の背面という。
【００２６】
（連結手段２０について）
図５に示すように、ドア１１は、連結手段２０によって、戸枠３０に揺動可能に連結されている。具体的には、ドア１１は、その戸尻（図２（Ａ）では右側の端部）を支点として、戸先（図１（Ａ）では左側の端部）が水平に揺動できるように、連結手段２０によって、戸枠３０に連結されている。
【００２７】
図５および図７に示すように、この連結手段２０は、ドア１１を閉じた状態において、ドア１１の戸尻側の外縁部（後述する戸尻カバー部１６）と戸尻側縦枠７０の表面（後述する戸尻側縦枠７０の戸当り見付壁72b）との間に形成された空間内に位置するように配設されている。
【００２８】
以上のごとき構成を有するドアセット１０は、玄関側壁ＥＷの開口に設置した状態において、ドア１１を閉じたときに、ドア１１の正面が、かかる開口を囲むように配設されたパネル２の表面と略面一となるように設置されている。
【００２９】
本実施形態のドアパネルセット１は、上記のごとき構成を有しているので、戸尻を支点としてドアパネルセット１のドアセット１０のドア１１を揺動させれば、ドア１１によって戸枠３０の開口30hを開閉することができる。そして、かかるドア１１を閉じた状態では、図１および図２（Ａ）に示すように、ドア１１の外縁部によって戸枠３０の各枠の表面が覆われた状態とすることができる。
しかも、ドア１１と戸枠３０を連結する連結手段２０は、ドア１１を閉じた状態において、ドア１１の戸尻側の外縁部の背面側に位置するように配設された状態とすることができる。
【００３０】
このため、ドアセット１０のドア１１を閉じた状態では、玄関の室外側からドア１１の正面を見たとき、つまり玄関側からの正面視（以下、室外側正面視という）において、ドアセット１０におけるドア１１の正面だけが視認される状態となる（図１および図２（Ａ）参照）。つまり、ドア１１を閉じた状態における室外正面視について、戸枠３０が全く視認されない状態とすることができる。言い換えれば、玄関の外観における戸枠３０の影響をなくすことができるのである。
すると、室外側正面視において、ドアセット１０のドア１１を囲むようにパネル２が配設された状態とすることができる。したがって、本実施形態のドアパネルセット１は、ドアセット１０のドア１１を閉じた状態において、パネル２とドア１１が一体感を有する状態とすることができる。
しかも、ドア１１を閉じた状態において、パネル２の表面とドア１１の正面が略面一とすることができるので、パネル２とドア１１の一体感をより向上させることができる。
また、パネル２とドア１１は、その表面上の意匠的な統一感を有するようにする。例えば、パネル２とドア１１の表面上の模様や、色彩、目地加工などの意匠を統一すれば、両者間の一体感をさらに向上させることができる。
【００３１】
以下、本実施形態のドアパネルセット１の各構成を詳細に説明する。
【００３２】
まず、本実施形態のドアパネルセット１のパネル２の詳細を説明する前に、ドアセット１０の詳細を説明する。
ドアセット１０は、上述したように戸枠３０と、戸枠３０に取り付けられたドア１１とを備えている。
【００３３】
（戸枠３０）
戸枠３０は、上述したように一対の縦枠６０（戸先側縦枠６０）、縦枠７０（戸尻側縦枠７０）と上枠４０、下枠５０に囲まれた、正面視略長方形の開口30h（図４参照）を有している。
【００３４】
図４および図５に示すように、戸枠３０の各枠は、上述した開口30hを形成するための開口形成部４２、５２、６２、７２と、玄関側壁ＥＷに形成されている開口に取り付けるための取付壁４１、５１、６１、７１と、を備えている。
【００３５】
図４または図５に示すように、戸枠３０の各枠の取付壁４１、５１、６１、７１は、板状の部材であり、外面（つまり開口30hと反対側に位置する面）が玄関側壁ＥＷの開口内面と対向した状態において、かかる開口内面に略接するように形成されている。そして、戸枠３０の各枠の取付壁４１、５１、６１、７１は、外面をボルトや溶接等によって玄関側壁ＥＷに固定することができるように形成されている。
【００３６】
この戸枠３０の各枠の取付壁４１、５１、６１、７１には、両端を連結するように、断面略コの字状に形成された板状の部材からなる戸枠３０の各枠の各開口形成部４２、５２、６２、７２が設けられている。つまり、各開口形成部４２、５２、６２、７２は、両端が取付壁４１、５１、６１、７１の両端に連結するように設けられており、かかる状態において、両者の内面同士が対向するように設けられているのである。
この各開口形成部４２、５２、６２、７２は、開口30hを形成する開口形成壁ａと、戸当たりを有する戸当り見付壁ｂと、を備えている。
【００３７】
各開口形成部４２、５２、６２、７２の開口形成壁ａは、上述したように各開口形成壁ａの開口側に位置する開口面で囲まれた部分に上記開口30hを有している。言い換えれば、上記開口30hは、戸枠３０の各枠の開口形成部４２、５２、６２、７２の開口形成壁42a、52a、62a、72aによって囲まれるようにして形成されているのである。
【００３８】
この各開口形成壁42a、52a、62a、72aと、各開口形成壁42a、52a、62a、72aに対向する位置に配設された各取付壁４１、５１、６１、７１は、各玄関屋外側の端部同士が、開口形成部４２、５２、６２、７２の戸当り見付壁ｂによって連結されている。つまり、この各戸当り見付壁ｂは、ドア１１を開けた状態において、室外側から開口30hを見たときに視認される戸枠３０の室外側の見付面に相当するのである。
【００３９】
図４および図５に示すように、各戸当り見付壁ｂには、いわゆる戸当りが設けられている。この戸当りは、各戸当り見付壁ｂに形成された収容溝ｈに収容するようにして設けられている。この戸当りは、通常、一対の戸先側縦枠６０、戸尻側縦枠７０および上枠４０、下枠５０の全てに設けられている。そして、この戸当りには、一般的に、クッションＰが取り付けられている。このクッションＰは、ドア１１を閉めたときの衝撃を吸収するとともに、戸枠３０とドア１１との間の気密性を保つために設けられている。つまり、クッションＰが戸枠３０の開口30hを囲むように配設されているので、ドア１１をその表面がクッションＰに接触するように閉じれば、開口30hをほぼ気密に閉じることができるのである。
【００４０】
（ドア１１）
図２に示すように、上記のごとき構造を有する戸枠３０には、上述したドア１１が取り付けられている。このドア１１は、戸枠３０の開口30hと略相似形であって、ドア１１を閉じた状態において、戸枠３０の開口30hを塞ぐことができる大きさに形成されており、開口30hを塞ぐように閉じた状態において、戸枠３０の各枠の各戸当り見付壁ｂの表面（図４の上枠４０、下枠５０では左側に位置する面、図５の戸先側縦枠６０、戸尻側縦枠７０では上側に位置する面）を有する壁である。
以下では、かかる各戸当り見付壁ｂの表面を覆う具体的な構造を説明する。
【００４１】
図３に示すように、ドア１１は、ドア１１を閉じたときに、戸枠３０の開口30hを塞ぐ本体部１２と、この本体部１２の周囲に形成された各枠の戸当り見付壁ｂを覆うカバー部と、を備えている。このカバー部は、上カバー部１３と、戸先カバー部１５と、戸尻カバー部１６と、を備えている。
なお、カバー部は、上述したドア１１の外縁部に相当する部分である。
【００４２】
ドア１１の上カバー部１３は、板状の部材であり、基端がドア１１の本体部１２の上端縁に連結して設けられた部材である。この上カバー部１３は、ドア１１を閉じた状態において、背面側に位置する上枠４０の戸当り見付壁42bを覆うことができる大きさに形成されていれば、その構造はとくに限定されない。例えば、図４に示すように、ドア１１の本体部１２の上端部を上方に延設して上カバー部１３としてもよい。
上カバー部１３は、ドア１１を閉じた状態において、その上端縁と、その上方に配設されたパネル２の下端縁との間に所定の間隔を有するように形成するのが好ましい。例えば、両者間に形成される隙間が１〜１５ｍｍ程度となるように形成することができる。両者間の隙間を小さくすれば、隣接するパネル２との一体感を向上させることができる。一方、両者間の隙間をある程度の大きさ（例えば、１０〜１５ｍｍ程度）とすれば、地震等によって居住用建物の躯体に歪等が生じた場合であっても、居住用建物に形成された開口やかかる開口を囲むように配置されたパネル２にドア１１の上部が干渉するのを防止できるので、ドア１１を解放しやすくなる。
【００４３】
なお、図４に示すように、ドア１１の本体部１２の上端部を上方に延設して上カバー部１３とした場合、上カバー部１３の背面が戸当り見付壁42bに設けられたクッションＰに接するように形成することができるので、ドア１１の上端部で外部と内部の気密性を確保することができる。
【００４４】
つぎに、戸先カバー部１５と戸尻カバー部１６について以下説明する。
【００４５】
まず、戸先カバー部１５を説明する。
ドア１１の戸先カバー部１５は、板状の部材であり、基端がドア１１の本体部１２の戸先端縁に連結して設けられた部材である。この戸先カバー部１５は、ドア１１を閉じた状態において、背面側に位置する戸先側縦枠６０の戸当り見付壁62bを覆うことができる大きさに形成されていれば、その構造はとくに限定されない。
【００４６】
また、戸先カバー部１５は、ドア１１を閉じた状態において、その先端縁と、その先端方向に配設されたパネル２の端縁との間に所定の間隔を有するように形成するのが好ましい。例えば、両者間に形成される隙間が１〜１５ｍｍ程度となるように形成することができる。両者間の隙間を小さくすれば、隣接するパネル２との一体感が増す。一方、両者間の隙間をある程度の大きさ（例えば、１０〜１５ｍｍ程度）とすれば、地震等によって居住用建物の躯体に歪等が生じた場合であっても、居住用建物に形成された開口やかかる開口を囲むように配置されたパネル２にドア１１の戸先側が干渉するのを防止できるので、ドア１１を解放しやすくなる。
【００４７】
図５および図７に示すように、ドア１１の戸尻カバー部１６は、板状の部材であり、基端がドア１１の本体部１２の戸尻端縁に連結して設けられた部材である。この戸尻カバー部１６は、ドア１１を閉じた状態において、背面側に位置する戸尻側縦枠７０の戸当り見付壁72bを覆うことができる大きさに形成されていれば、その構造はとくに限定されない。例えば、図５および図７に示すように、戸尻カバー部１６は、ドア１１を閉じた状態において、その背面と戸尻側縦枠７０の戸当り見付壁72bの表面との間に空間を有するように形成するように形成することができる。なお、かかる空間は、後述するドア１１と戸枠３０を連結する連結手段２０が配設される空間として利用される。
また、戸尻カバー部１６は、その先端縁と、先端方向に配設されたパネル２との間に形成される隙間が６〜１５ｍｍ程度となるように形成されるが、詳細は後述する。
【００４８】
以上のごとき構造であるので、ドアセット１０のドア１１を閉じれば、ドア１１の上カバー部１３と下カバー部１４によって戸枠３０の上下枠４０、５０の表面（各戸当り見付壁42b、52bの表面）およびドア１１の戸先カバー部１５と戸尻カバー部１６によって戸先側縦枠６０、戸尻側縦枠７０の表面（各戸当り見付壁62b、72bの表面）が覆われた状態とすることができる。つまり、ドア１１を閉じた状態で玄関の屋外側からドア１１の正面から見たときに、つまり室外側正面視において、ドア１１が戸枠３０で囲まれた状態とはならないのである。言い換えれば、戸枠３０が全く視認されない状態とすることができるのである。
【００４９】
また、ドア１１を閉じた状態において、上カバー部１３、戸先カバー部１５および戸尻カバー部１６と各カバー部に隣接して配設されたパネル２との間の隙間が上記のごとき範囲内となるように各カバー部を形成すれば、ドアセット１０の周囲に配設されたパネル２とドア１１との一体感が増す。しかも、かかる隙間を上記のごとき範囲内となるようにすれば、対震性を有するドアセット１０とすることができるという利点を有する。
なお、ここでいう対震性を有するドアセットとは、面内変形追従性を有するドアセットを意味する。例えば、地震等の発生によってドアセットを設置した居住用建物（躯体）が変形等により戸枠に歪や変形が生じた場合であっても、かかる戸枠とドアとの間に隙間を形成することによって、戸枠によるドアへの干渉を抑制してドアを解放することができるようなドアセットが含まれる。
【００５０】
とくに、各カバー部１３、１５、１６は、その表面がドア１１の本体部１２の表面に略面一となるように形成されているのが好ましい。
この場合、各カバー部１３、１５、１６の表面がドア１１の表面と略面一となるように設けられているので、ドア１１を閉じた状態における室外側正面視（図３では紙面手前側からドア１１を見たとき）において、ドア１１の表面全体を一体化することができる。
【００５１】
また、図７に示すように、ドア１１の戸尻カバー部１６は、基端が本体部１２の戸尻に連結した戸尻正面カバー壁１７と、この戸尻正面カバー壁１７の外端縁から戸尻側縦枠７０に向かって屈曲した側壁１８と、を備えた構造としてもよい。
この場合、図７に示すように、かかる側壁１８によって戸尻カバー部１６の内方の空間を外部から視認できないようにすることができる。つまり、ドア１１の戸尻側斜め正面からドア１１を見た場合であっても、戸尻カバー部１６の側壁１８によって視野を遮ることができるので、戸尻カバー部１６の内方に設けられた連結手段２０などが外部から視認できない状態とすることができる。このため、ドア１１の正面をいずれの方向から見たときでも、その外観をよりすっきりとした印象とすることができるという利点が得られる。
【００５２】
（連結手段２０）
連結手段２０は、上述したように、ドア１１を戸枠３０の戸尻側縦枠７０に対して揺動可能に連結する部材であり、ドア１１を閉じた状態において、戸尻カバー部１６の戸尻正面カバー壁１７と戸尻側縦枠７０の戸当り見付壁72bの表面との間に形成された空間内に位置するように配設されている。
【００５３】
図７、図８および図９に示すように、この連結手段２０は、ドア１１の戸尻に固定された可動プレート２２と、戸尻側縦枠７０に固定された固定プレート２３と、この固定プレート２３および可動プレート２２が揺動可能に連結された軸部材２１と、を備えている。
【００５４】
図７、図８および図９に示すように、連結手段２０の軸部材２１は、円筒状の部材であり、かかる軸中心を支点として外壁が円周方向に回転可能に形成されている。この軸部材２１は、戸尻カバー部１６の外端縁の近傍かつ内方に位置するように配設されている。詳細は後述する。例えば、図７、図８および図９に示すように、軸部材２１は、その外面が戸尻カバー部１６の戸尻正面カバー壁１７の背面と戸尻カバー部１６の内面に略接するように配設されている。つまり、軸部材２１は、ドア１１の戸尻面から離間するように配設されているのである。
なお、軸部材２１の軸中心が、特許請求の範囲の揺動軸に相当する。
【００５５】
図７、図８および図９に示すように、上述した円筒状の軸部材２１には、軸方向に沿って下方に固定プレート２３、この固定プレート２３の上方に可動プレート２２がそれぞれ連結されている。
【００５６】
まず、固定プレート２３について説明する。
固定プレート２３は、板状の部材であり、軸部材２１と戸尻側縦枠７０とを連結する構造を有する部材であれば、その構造はとくに限定されない。
例えば、図７、図８および図９に示すように、固定プレート２３は、軸部材２１に連結した連結板23aと、この連結板23aに連結した固定板23bと、を有する構造とすることができる。この固定板23bは、連結板23aの先端から戸尻側縦枠７０の戸当り見付壁72bに向かって立設するように設けられている。固定板23bの表面がドア１１の戸尻面と略同じ面上に位置するように配設した場合、上述したように軸部材２１と固定板23bが離間しているので、固定プレート２３は、軸部材２１に連結した連結板23aの先端縁から戸尻側縦枠７０の戸当り見付壁72bに向かって固定板23bが屈曲するように形成される。かかる場合、固定プレート２３は、軸部材２１と戸尻側縦枠７０とを連結することができれば、その断面形状はとくに限定されない。例えば、断面略Ｌ字状（図８または９参照）や、連結板23aの表面と固定板23bと表面のなす角が約４５度となるように形成することができる。
【００５７】
固定板23bは、その先端部で戸尻側縦枠７０と固定されている。この固定プレート２３の固定板23bの先端部を戸尻側縦枠７０に固定する方法は、とくに限定されない。例えば、固定板23bの先端部を戸尻側縦枠７０の戸当り見付壁72bに溶接して固定してもよいが、図７、図８および図９に示すように、戸尻側縦枠７０内に設けられた内部壁７４に固定すれば、ドア１１を解放した状態における戸当り見付壁72bの表面の見栄えをきれいにすることができる。
以下、固定プレート２３の固定板23bの先端部を戸尻側縦枠７０に設けられた内部壁７４に固定する場合について説明する。
【００５８】
図７、図８および図９に示すように、戸尻側縦枠７０内に設けられた内部壁７４は、戸尻側縦枠７０の開口形成壁72aの開口面と反対側に位置する内壁と取付壁７１の内壁との間の設置される板状の部材であり、側端部が戸当り見付壁72bの背面に連結するように形成されている。
具体的には、内部壁７４は、開口形成壁72aと取付壁７１と戸当り見付壁72bで囲まれた室外側（図７では上方側）に位置するように配設されている。一方、図７、図８または図９に示すように、戸当り見付壁72bにおいて、この内部壁７４と戸当り見付壁72bとの連結部近傍には、戸尻側縦枠７０の軸方向に沿って長孔状のスリット72sが形成されている。このスリット72sは、固定プレート２３の固定板23bの先端部を外部から戸尻側縦枠７０内に挿入することができる大きさ、形状であれば、とくに限定されない。
以上のごとき構造とすれば、固定プレート２３の固定板23bの先端部を外部から戸当り見付壁72bに形成されたスリット72sに挿入して、かかるスリット72sの内方に位置する戸尻側縦枠７０の内壁７４に固定板23bの先端部をネジ等で固定すれば、固定プレート２３を戸尻側縦枠７０に固定することができる。
【００５９】
なお、スリット72sは、固定プレート２３の固定板23bの数だけ戸当り見付壁72bにそれぞれ形成してもよいし、スリット72s同士が連続するように形成してよい。例えば、ドア１１を戸枠３０に取り付けた際に固定プレート２３の固定板23bを戸尻側縦枠７０に固定する箇所にスリット72sを形成すれば、ドア１１を取り付ける際に固定プレート２３の固定板23b先端部をスリット72sに挿入するだけで、位置決めを行うことができる。この場合、ドア１１の取付作業が行いやすくなるという利点がある。なお、かかるスリット72sは、ドア１１の位置決めを行う上では、その長孔の大きさが固定プレート２３の固定板23bの先端部の幅と略同じかやや大きくなるように形成するのが好ましいのは言うまでもない。
【００６０】
つぎに、可動プレート２２について説明する。
可動プレート２２は、板状の部材であり、軸部材２１とドア１１の戸尻面とを連結する構造を有する部材であれば、その構造はとくに限定されない。例えば、図７、図８および図９に示すように、可動プレート２２は、軸部材２１に連結した連結板22aと、この連結板22aに連結した固定板22bと、を有する構造とすることができる。可動プレート２２は、上述した固定プレート２３と同様に、軸部材２１に連結した連結板22aの先端縁から戸尻側縦枠７０の戸当り見付壁72bに向かって固定板22bが屈曲するように形成されている。かかる場合、可動プレート２２は、軸部材２１とドア１１の戸尻面とを連結することができれば、その断面形状はとくに限定されない。例えば、断面略Ｌ字状（図８または９参照）や、連結板22aの表面と固定板22bと表面のなす角が約４５度となるように形成することができる。
【００６１】
例えば、図８または図９に示すように、可動プレート２２は、その連結板22aが、戸尻カバー部１６の戸尻正面カバー壁１７と略平行となるように軸部材２１に連結する。そして、連結板22aの先端にドア１１の本体部１２の戸尻面に可動プレート２２を固定するための固定板22bが連結する。つまり、可動プレート２２は、ドア１１を閉じた状態において、ドア１１の正面と略平行な連結板22aが軸部材２１に連結されており、この連結板22aの先端縁から戸尻側縦枠７０の戸当り見付壁72bに向かって固定板22bが屈曲するように形成されているのである。すると、図８または図９に示すように、可動プレート２２は、断面略Ｌ字状となるように形成することができる。
【００６２】
なお、可動プレート２２の固定板22bは、上述したようにドア１１の本体部１２の戸尻面に可動プレート２２を固定することができるものであれば、その大きさや形状はとくに限定されない。例えば、図８（Ｂ）に示すように、固定板22bは、平面視長方形のプレートであり、その幅がドア１１の本体部１２の戸尻面の幅（つまりドアの厚さ幅）と同じかやや小さくなるように形成することができる。
【００６３】
連結手段２０を以上のごとき構造とすれば、図８および図９に示すように、ドア１１を連結手段２０の軸部材２１の中心を支点として、戸先を水平に揺動させながら開閉させることができる。
【００６４】
しかも、図７および図８に示すように、連結手段２０の軸部材２１は、その外面が、戸尻カバー部１６の戸尻正面カバー壁１７の背面と戸尻カバー部１６の内面に略接するように配設されている。このため、軸部材２１の中心から戸尻カバー部１６の外端縁（つまり戸尻正面カバー壁１７と側壁１８が連結した連結部外端縁）までの距離を短くすることができる。つまり、図８および図９に示すように、ドア１１を開閉する際の戸尻カバー部１６の外端縁の回転半径ｒを小さくすることができるのである。なお、図８および図９では、ドア１１を開閉する際の戸尻カバー部１６の外端縁の軌跡を破線で示した。
【００６５】
すると、図９に示すように、ドア１１を連結手段２０の軸部材２１の中心を支点として、戸先を水平に揺動したときに、戸尻カバー部１６の外端縁が戸尻側縦枠７０の外壁（図９では、開口30hと反対側に位置する壁、つまり取付壁７１）から突出する量を非常に小さくすることができる。つまり、図７に示すように、ドア１１を開閉する際、ドア１１の戸尻側が、戸尻側に隣接するパネル２と干渉しないように両者間に設けられる隙間Ｗを非常に小さくすることができるのである。具体的には、ドア１１を閉じた状態において、かかる隙間Ｗが、６〜１５ｍｍ程度となるように形成することができる。例えば、ドア１１を開閉する際の戸尻カバー部１６の外端縁の回転半径ｒを約４８ｍｍとした場合、かかる隙間Ｗが約１５ｍｍとなるように形成することができるし、回転半径ｒを約２４ｍｍとした場合、かかる隙間Ｗが約８ｍｍとなるように形成することができる。
【００６６】
この場合、室外正面視において、ドア１１の戸尻側に配設されたパネル２とドア１１との隙間Ｗを上記のごとく非常に狭くするこができるので、パネル２とドア１１との一体感をより向上させることができる。したがって、本実施形態のドアパネルセット１のパネル２外観をすっきりとした印象とすることができるので、ドア１１とパネル２がより一体感を有するデザインとすることが可能となる。
【００６７】
なお、図７に示すように、戸枠３０の戸尻側縦枠７０には、その戸当り見付壁72bから戸尻カバー部１６に向かって立設した突出部７３を設けてもよい。この突出部７３は、その先端が戸尻カバー部１６の側壁１８の内端近傍に位置するように形成することができる。
図７に示すように、かかる突出部７３を設けた場合、ドア１１の戸尻側を戸尻側縦枠７０の戸当り見付壁72bに設けられた突出部７３と戸尻カバー部１６の側壁１８によって覆うことができるので、ドア１１の戸尻側に設けられた連結手段２０等の内部構造を外部からほぼ視認できない状態とすることができる。
【００６８】
しかも、図７に示すように、突出部７３の先端縁と戸尻カバー部１６の側壁１８の先端縁との間には、隙間が形成されているので、ドア１１の開閉に伴って生じる戸尻カバー部１６の外端縁の移動（図９では破線）を、突出部７３の戸尻側縦枠７０側内方に逃がすことができる構造とすることができる。言い換えれば、ドア１１の戸尻側の内部構造を外部からほぼ隔離した状態としつつ、ドア１１を開閉する際に戸尻側外端縁が戸尻側縦枠７０と干渉しない構造とすることができる。
【００６９】
（パネル２）
つぎに、パネル２の構造を詳細に説明する。
図１または図２（Ａ）に示すように、パネル２は、玄関側壁ＥＷに取り付け得る構造を有する板状の部材であれば、構造や形状等はとくに限定されない。
例えば、図４および図５に示すように、パネル２は、板状の本体部３と、この本体部３を玄関側壁ＥＷに取り付けるための取付部４と、を備えたものを採用することができる。
【００７０】
図４および図５に示すように、取付部４は、プレート状の部材であり、ボルトＢ等によって玄関側壁ＥＷに固定することができるように形成されている。そして、この取付部４には、表面を有するプレート部３ａを備えた本体部３が連結するように取り付けられている。本体部３は、板状のプレート部３ａと、このプレート部３ａを取付部４に取り付けるためのベース部３ｂと、を備えている。また、取付部４には、取付部４と玄関側壁ＥＷとの距離を調整するための調整部材Ｃが設けられている。この調整部材Ｃは、両者の距離を調整できるものであればその構造はとくに限定されない。例えば、ネジ部材など両者間の距離を簡単に調整する機能を有する部材を調整部材Ｃとして採用することができる。調整部材Ｃとしてネジ部材を採用すれば、ネジ部材を回転させることによって、取付部４と玄関側壁ＥＷとの距離を調整することができる。そして、調整部材Ｃであるネジ部材を回転すれば、取付部４に連結された本体部３のプレート部３ａの表面を、玄関側壁ＥＷに対して接近離間させることができる。つまり、調整部材Ｃであるネジ部材を回転させることによって、本体部３のプレート部３ａの表面と玄関側壁ＥＷの表面との距離を調整することができるのである。このため、例えば、凹凸や段差等を有する玄関側壁ＥＷであってもパネル２の表面が連続した面一となるように形成することができる。つまり、パネル２を上記構造とすれば、玄関側壁ＥＷの形状に関わらず、本実施形態のドアパネルセット１のパネル２を常に表面が面一となるように調整することができるのである。
【００７１】
また、パネル２は、玄関側壁ＥＷに取り付けることができる構造を有するものであれば、その大きさや形状はとくに限定されない。例えば、正面視長方形に形成したものを採用することができる。
図１に示すように、正面視長方形のパネル２を採用した場合、その軸がドア１１の軸方向（図１では上下方向）と平行になるよう玄関側壁ＥＷに配設する。すると、人が玄関の屋外から玄関を見たときに、見た人に対して、パネル２とドア１１がより一体感を有する印象を与えることができる。
【００７２】
また、パネル２は、その本体部３の表面の模様や、色彩などがドア１１の表面の統一を有するように形成すれば、上述したように、両者間の一体感をより向上させることができる。例えば、パネル２の本体部３の表面とドア１１の表面の模様を木目調に統一すれば、玄関側壁ＥＷが一枚の板で形成されているような印象を与えることができ、玄関を屋外から見たときの印象を落ち着きある状態に仕上げることができる。一方、両者を無機質的な模様で統一すれば、玄関を屋外から見たときの印象をよりスタイリッシュに仕上げることも可能となる。
【００７３】
しかも、パネル２は、そのドア１１の外端縁側に位置する外縁が、ドア１１の外端縁に近接するように配設するのが好ましい。パネル２とドア１１との間に形成される隙間を狭くすれば、両者の一体感が増す。
例えば、図４および図５に示すように、ドア１１の上端縁側（つまり上カバー部１３の上端縁側）およびドア１１の戸先端縁側（つまり戸先カバー部１５の外端縁側）に隣接するパネル２においては、上述したように、両者間の隙間が、それぞれ１ｍｍ〜１５ｍｍ程度となるように配設することができる。そして、ドア１１の戸尻側端縁側に隣接するパネル２においては、上述したように、両者間の隙間が６ｍｍ〜１５ｍｍとなるように配設することができる。
しかも、上述したように、ドア１１の上端縁側および戸先端縁側に隣接するパネル２においては、両者間の隙間をある程度の広さ（例えば１０〜１５ｍｍ程度）とすれば、地震等によって戸居住用建物の躯体に歪等が生じた場合であっても、ドア１１がパネル２に干渉してドア１１を開くことができなくなるのを抑制することができるから、対震性を有する構造とすることができる。
【００７４】
（他の実施形態）
なお、上記例では、本実施形態のドアパネルセット１のドアセット１０において、ドア１１を閉じたときに、ドア１１の外縁部によって戸枠３０の各枠の表面を覆う場合について説明した。具体的には、ドア１１の上カバー部１３、戸先カバー部１５および戸尻カバー部１６によって戸枠３０の各枠の戸当り見付壁42b、62b、72bの表面を覆う構造を有する場合を説明した。一般的に、室外側の共用廊下や玄関アプローチは、その表面が下枠５０の戸当り見付壁52bのクッションＰの近傍に位置するように設けられるので、ドア１１を閉じれば、室外正面視において、下枠５０の戸当り見付壁52bの表面がほとんど視認されることがない。
【００７５】
一方、下枠５０の室外側近傍に段差が形成されるような場合、つまり室外側の共用廊下や玄関アプローチの表面が下枠５０の戸当り見付壁52bの下端近傍よりも下方に位置するような場合には、ドア１１の下端部に下カバー部１４を備えた構造としてもよい。すると、下枠５０の戸当り見付壁52bを覆うことができる。この場合、ドア１１の下カバー部１４は、ドア１１の本体部１２の下端部を下方に延設してもよいし、板状の部材を別途設けた構造としてもよい。
【００７６】
また、上記例では、戸枠３０の上枠４０の表面（つまり、上枠４０の戸当り見付壁42bの表面）が、上カバー部１３によって覆われない構造としてもよい。かかる場合、ドア１１を閉じたときに、室外正面視における上枠４０の表面部分を本実施形態のドアパネルセット１のデザインの一部として利用すれば、ドア１１の簡単な構造とすることができる。
【産業上の利用可能性】
【００７７】
本発明のドアセットは、マンション等の集合住宅の各住戸や戸建住宅または集合住宅の玄関側壁やマンション等の集合住宅のエントランスや、ホテルの各部屋の玄関側壁や、ビル内の各部屋等の側壁などの壁の出入口に設置されるドアセットとして適している。
【符号の説明】
【００７８】
１      ドアパネルセット
２      パネル
１０    ドアセット
１１    ドア
１３    上カバー部
１４    下カバー部
１５    戸先カバー部
１６    戸尻カバー部
２０    連結手段
３０    戸枠
４０    上枠
４２ｂ  上枠の戸当り見付壁
５０    下枠
５２ｂ  下枠の戸当り見付壁
６０    戸先側縦枠
６２ｂ  戸先側縦枠の戸当り見付壁
７０    戸尻側縦枠
７２ｂ  戸尻側縦枠の戸当り見付壁
ＥＷ    玄関側壁
【図１】
0006499453.tif 000002
【図２】
0006499453.tif 000003
【図３】
0006499453.tif 000004
【図４】
0006499453.tif 000005
【図５】
0006499453.tif 000006
【図６】
0006499453.tif 000007
【図７】
0006499453.tif 000008
【図８】
0006499453.tif 000009
【図９】
0006499453.tif 000010